(57)【要約】【課題】立体映像を安定して表示できる立体映像表示装置を提供する。【解決手段】本発明による立体映像表示装置４は、少なくとも１つの透明な前方表示スクリーンを有する前方表示器５と前方表示スクリーンの後方に配置された後方表示スクリーンを有する後方表示器１０とを有する。前方スクリーンが有機エレクトロルミネセンス素子を含む有機ＥＬ表示スクリーンであり、前方表示器５と前記後方表示器１０との間にスペーサ９が充填されている。【選択図】  図２
2004229062.tif 000002
【特許請求の範囲】
【請求項１】
少なくとも１つの透明な前方表示スクリーンを有する前方表示器と、前記前方表示スクリーンの後方に配置された後方表示スクリーンを有する後方表示器と、からなる立体映像表示装置であって、
前記前方スクリーンが有機エレクトロルミネセンス素子を含み、
前記前方表示器と前記後方表示器との間がスペーサによって充填されていることを特徴とする立体映像表示装置。
【請求項２】
前記スペーサは気体不透過特性を有することを特徴とする請求項１記載の立体映像表示装置。
【請求項３】
前記スペーサは筒状の部材であることを特徴とする請求項１記載の立体映像表示装置。
【請求項４】
前記スペーサは透明材料からなる板状部材であることを特徴とする請求項１記載の立体映像表示装置。
【請求項５】
前記スペーサは反射抑制構造を有することを特徴とする請求項１記載の立体映像表示装置。
【請求項６】
前記スペーサは前記前方表示器と前記後方表示器との間の間隔を調整する調整機構を有することを特徴とする請求項１記載の立体映像表示装置。
【請求項７】
透明な前方表示スクリーンを少なくとも１つ有する前方表示器と、前記前方表示スクリーンの後方に配置された後方表示スクリーンを有する後方表示器と、からなる立体映像表示装置の製造方法であって、
前記前方表示器を形成する前方表示器形成工程と、
前記後方表示器を形成する後方表示器形成工程と、
前記後方表示スクリーンの法線方向に沿って前方表示スクリーンを配し且つ前記前方表示器と前記後方表示器の間をスペーサによって充填するスペーサ充填工程と、を含み、
前記前方表示器形成工程は有機エレクトロルミネセンス素子からなる有機エレクトロルミネセンス表示スクリーン形成工程を含むことを特徴とする立体映像表示装置の製造方法。
【請求項８】
前記有機エレクトロルミネセンス表示スクリーン形成工程は電流の注入により発光する発光層を有する有機機能層形成工程を含み、
前記スペーサ配置工程は前記前方表示器と前記後方表示器と前記スペーサとによって外部から気体が入らない封止構造を形成する封止工程を含み、
前記封止工程は前記有機機能層を前記封止構造内に封止する工程であることを特徴とする請求項７記載の立体映像表示装置の製造方法。
【発明の詳細な説明】
【０００１】
【発明の属する技術分野】
本発明は、立体映像表示装置及びその製造方法に関する。
【０００２】
【従来技術】
立体的な映像を表示する手段として、様々な方法を用いた装置が提起されている。例えば、図１に示す如く、明るさが異なる同一の平面像を重ねて表示するという立体映像装置１がある（例えば特許文献１参照。）。
立体映像表示装置１は、前面表示部２と背面表示部３とを有し、且つ背面表示部３の法線方向に前面表示部２が配置されている。前面表示部２は、背面表示部３の画像からの光を透過できる透明な表示パネル（以下透過型表示パネルと称する）である。前面表示部２と背面表示部３は、同一の画像であり且つ表示対象物の奥行き位置に応じて輝度が異なる対象物像からなる画像を各々表示する。前面表示部２に表示された画像からの光は前方方向に進行し、背面表示部３に表示された画像からの光は前面表示部２を介して前方方向に進行する。
【０００３】
前方方向の観察者は、前面表示部２の画像と背面表示部３の画像が、奥行きの異なる２つの像として見えるのではなく、２つの像が融合した１つの像として見える。当該融合像を観察した観察者は、融合像を２つの像の輝度の比に応じて奥行きある立体映像として認識する。
かかる立体映像表示装置は、従来の表示装置に比べて自然な立体表示ができる故、観察者へ疲労感を与えることが少ない。
【０００４】
【特許文献１】
特開２０００−１１５８１２号公報
【０００５】
【発明が解決しようとする課題】
上記の如き立体映像表示装置に衝撃が加えられた場合、表示部同士の相対的な位置が変動する。かかる表示部の変動によって、観察者に対する前後の像の表示位置が異なり、２つの像が融合しなくなる。その結果、観察者は立体的な映像を観察できなくなってしまうという問題がある。
【０００６】
本発明が解決しようとする課題には、前述した問題が１例として挙げられる。
【０００７】
【課題を解決するための手段】
請求項１に記載の立体映像表示装置は、少なくとも１つの透明な前方表示スクリーンを有する前方表示器と、前記前方表示スクリーンの後方に配置された後方表示スクリーンを有する後方表示器と、からなる立体映像表示装置であって、前記前方スクリーンが有機エレクトロルミネセンス素子を含み、前記前方表示器と前記後方表示器との間がスペーサによって充填されていることを特徴とする。
【０００８】
請求項７に記載の立体映像表示装置の製造方法は、透明な前方表示スクリーンを少なくとも１つ有する前方表示器と、前記前方表示スクリーンの後方に配置された後方表示スクリーンを有する後方表示器と、からなる立体映像表示装置の製造方法であって、前記前方表示器を形成する前方表示器形成工程と、前記後方表示器を形成する後方表示器形成工程と、前記後方表示スクリーンの法線方向に沿って前方表示スクリーンを配し且つ前記前方表示器と前記後方表示器の間をスペーサによって充填するスペーサ充填工程と、を含み、前記前方表示器形成工程は有機エレクトロルミネセンス素子からなる有機エレクトロルミネセンス表示スクリーン形成工程を含むことを特徴とする。
【０００９】
【発明の実施の形態】
本発明の立体映像表示装置の実施例を、添付図面を参照しつつ詳細に説明する。なお、立体映像表示装置の説明を簡単にするべく、外部回路、電極等を省略して記載する。
図２に示す如く、本発明による立体映像表示装置４は、透過型表示パネルである前方表示器５を有する。前方表示器５は、有機エレクトロルミネッセンス（以下有機ＥＬと称する）素子を有する有機ＥＬ表示スクリーンを含む。有機ＥＬ表示スクリーンは、例えばパッシブマトリクス駆動方式による複数の有機ＥＬ素子からなる有機ＥＬ表示パネルである。
【００１０】
前方表示器５は、透明材料からなる基板６を有する。基板６上には、エレクトロルミネセンスを呈する発光層を含む有機機能層７が設けられている。有機機能層７は、低分子系有機化合物及び高分子系有機化合物を含む。有機機能層７は、電子注入層、電子輸送層、正孔輸送層、正孔注入層等の複数の機能層を含んでも良い。
【００１１】
有機機能層７は、透明材料からなる封止缶８によって覆われている。封止缶８は、外部から水分や酸素等の気体が透過しない材料からなる。有機機能層７が水分によって劣化し、非発光領域（いわゆるダークスポット）が発生することを防止するように、封止缶８によって外気が入らない封止構造を形成している。
前方表示器５の背面側には筒状のスペーサ９が設けられている。スペーサ９は、接着剤等の固定手段によって前方表示器５を固定している。スペーサ９は、樹脂、金属、ガラス等の材料からなる。
【００１２】
スペーサ９を介して前方表示器５と対向する位置に、有機ＥＬ表示パネルである後方表示器１０が配されている。後方表示器１０は、固定手段によってスペーサ９に固定されている。後方表示器１０も、前方表示器５と同様に基板１１と有機機能層１２と封止缶１３とが設けられている。
上記の如き構造の立体映像表示装置４において、前方表示器５に表示された画像からの光は前面方向に出射し、後方表示器１０に表示された画像からの光は、前方表示器５を介して前面方向に出射する。観察者は、前方表示器５に表示された画像からの光と後方表示器１０に表示された画像からの光とが重ね合わされた融合光を見ることができる。
【００１３】
かかる構成の立体映像表示装置は、表示器間にスペーサ９を配置して表示器同士を固定することによって、衝撃が与えられたとしても各表示器が相互に移動しない故、表示される立体映像を安定して表示することができる。
スペーサ９の高さは、任意に設定することができる。すなわち、立体映像表示装置４の表示器間の間隔が、所定の高さのスペーサ９で調整することができる。
【００１４】
なお、スペーサの形状は、上記の如き筒状に限定されず、前方表示器と後方表示器の間隔を決定するものであれば良い。例えば、複数本数の柱状物でもよい。また、前方表示器５と後方表示器１０の間に空洞１４を設けなくても良い。例えば前方表示器と後方表示器の間に透明材料からなる板状部材が挟持されていても良い。更に、立体映像表示装置を組立てた後に、立体映像の表示状態を調整できるように、スペーサは、自身の高さを変更できる伸縮機構等の調整機構を備えても良い。
【００１５】
スペーサ９は、反射抑制構造を有することが好ましい。例えば、スペーサ９の内壁面１５に反射防止膜を設けても良い。スペーサ９が反射抑制構造を有することによって、表示スクリーン間で発生した散乱光がスペーサにて反射され且つ前面方向へ出射することを抑制できる。その結果、立体映像をより鮮明に表示することができる。
【００１６】
スペーサ９は気体不透過特性を有する材料からなっても良い。スペーサが気体不透過特性を有することによって、スペーサと後方表示器の基板とが封止構造を形成することができる。該封止構造を設けることによって、図３に示す如く、立体映像表示装置４Ａは、前方表示器５Ａの封止缶を設けなくても良い。かかる構造において、スペーサ９Ａと前方表示器の基板６Ａと後方表示器の基板１１Ａとは、機密性を保つ接着剤等で接着されている。また、前方表示器５Ａと後方表示器１０Ａとの間の空洞１４Ａは、窒素ガス等の不活性ガスが充填され且つ乾燥状態にあることが好ましい。上記変形例は、封止缶による封止代を考慮しなくても良いことから、両表示器間の間隔を小とすることができる。
【００１７】
また、封止缶を設けないことによって封止缶の表面における光の反射が発生しなくなり、当該反射光によって像がぼやけることが防止できる故、表示対象物の輪郭が明瞭な立体映像が観察できる。
図４に示す如く、後方表示器１０Ｂの有機機能層１２Ｂを空洞１４Ｂ内に配しても良い。かかる構成によれば、スペーサ９Ｂと前方表示器５Ｂと後方表示器１０Ｂとによって有機機能層を封止することができる。すなわち、封止缶を使用することなく立体映像表示装置を形成することができる。
【００１８】
次に、上記実施例の立体映像表示装置の製造方法について説明する。立体映像表示装置の製造工程は、前方表示器形成工程と前記後方表示器を形成する後方表示器形成工程を含む。前方表示器形成工程は有機ＥＬ素子からなる有機ＥＬ表示スクリーン形成工程を含む。有機ＥＬ表示スクリーン形成工程は、基板に有機機能層を形成する有機機能層形成工程を少なくとも含む。また、封止缶によって有機機能層を封止する有機機能層封止工程を含んでも良い。
【００１９】
前方及び後方の表示器を形成した後、後方表示器の後方表示スクリーンの法線方向に沿って前方表示器の前方表示スクリーンを配し且つ前方表示器と後方表示器の間にスペーサを充填するスペーサ充填工程を行う。スペーサ充填工程は、スペーサと表示器を接着剤等の固定部材を用いて固定する工程を含む。上記工程によって立体映像表示装置が完成する。
【００２０】
上記の如き製造方法によれば、表示器同士をスペーサで固定して一体とすることができる故、安定して立体映像を表示できる立体映像表示装置が形成できる。有機ＥＬ表示パネルの有機機能層形成工程を行った後に、表示パネルとスペーサが形成する封止構造内に当該有機機能層を封止する封止工程を行うことで、図３及び図４に示す如き立体映像表示装置が形成できる。封止工程で形成される封止構造は、水分や酸素等のガスの出入りを遮断する構造である。すなわち、封止構造内に有機機能層を配すれば、有機機能層を覆う封止缶を設けることなく立体映像表示装置を形成することができる故、製造工程の削減を図ることができる。
【００２１】
なお、上記した全ての実施例において、封止缶の代わりに樹脂等からなる封止フィルムやＳｉＮ等の無機化合物からなる封止膜を含む封止部材を用いても良い。かかる封止部材を用いることによって、表示パネルの軽量化及び薄型化を図ることができる。
前方表示器及び後方表示器の表示スクリーンは、液晶パネル等の他の画像表示手段を用いても良い。また、前方表示器は、前方表示スクリーンを２枚以上含んでも良い。
【００２２】
少なくとも１つの透明な前方表示スクリーンを有する前方表示器と、前記前方表示スクリーンの後方に配置された後方表示スクリーンを有する後方表示器と、からなる立体映像表示装置であって、前記前方スクリーンが有機エレクトロルミネセンス素子を含み、前記前方表示器と前記後方表示器との間がスペーサによって充填されていることを特徴とする立体映像表示装置によれば、スペーサの高さが表示器間の間隔となる故、任意の高さのスペーサを用いることによって表示器間の間隔を調整することができる。
【００２３】
透明な前方表示スクリーンを少なくとも１つ有する前方表示器と、前記前方表示スクリーンの後方に配置された後方表示スクリーンを有する後方表示器と、からなる立体映像表示装置の製造方法であって、前記前方表示器を形成する前方表示器形成工程と、前記後方表示器を形成する後方表示器形成工程と、前記後方表示スクリーンの法線方向に沿って前方表示スクリーンを配し且つ前記前方表示器と前記後方表示器の間をスペーサによって充填するスペーサ充填工程と、を含み、前記前方表示器形成工程は有機エレクトロルミネセンス素子からなる有機エレクトロルミネセンス表示スクリーン形成工程を含むことを特徴とする立体映像表示装置の製造方法によれば、表示器同士がスペーサを介して固定される故、安定して明瞭な立体映像を表示できる立体映像表示装置を提供できる。
【図面の簡単な説明】
【図１】従来の立体映像表示装置の構造を示す断面図である。
【図２】本発明による立体映像表示装置の構造を示す断面図である。
【図３】本発明による立体映像表示装置の変形例を示す断面図である。
【図４】本発明による立体映像表示装置の変形例を示す断面図である。
【符号の説明】
１、４  立体映像表示装置
５  前方表示器
６、１１  基板
７、１２  有機機能層
８、１３  封止缶
９  スペーサ
１０  後方表示器
１４  空洞
１５  内壁面
【図１】
2004229062.tif 000003
【図２】
2004229062.tif 000004
【図３】
2004229062.tif 000005
【図４】
2004229062.tif 000006